(57)【要約】【課題】自動水栓における操作スイッチを非接触式のセンサにて構成し、且つ操作ごとに吐水と止水とを交互に行わせる交互スイッチとして構成した場合において、その操作スイッチにタオルや布巾等が被せられることによって水が出放しとなる問題を解決する。【解決手段】自動水栓１８において、センサから成る操作スイッチ４２Ｒを、操作ごとに吐水と止水とを交互に行わせる交互スイッチとして且つ操作継続時間を検知可能なスイッチとして構成するとともに、制御部４１を、操作スイッチ４２Ｒに対する吐水のためのオン操作状態が設定時間継続したとき誤操作と判定して止水を行わせるように制御動作させる。【選択図】        図２
2004360186.tif 000002
【特許請求の範囲】
【請求項１】
操作スイッチと、給水弁と、該操作スイッチからの信号に基づいて該給水弁を作動制御する制御部とを有し、該操作スイッチのオン操作により吐水口から吐水させ、オフ操作により止水するようになした自動水栓において、
前記操作スイッチを、操作ごとに吐水と止水とを交互に行わせる交互スイッチとして且つ操作継続時間を検知可能なスイッチとして構成するとともに、前記制御部を、該操作スイッチに対する吐水のためのオン操作状態が設定時間継続したとき誤操作と判定して止水を行わせるようになしてあることを特徴とする自動水栓。
【請求項２】
請求項１において、前記操作スイッチは、吐水又は止水のためのオン操作又はオフ操作後、操作状態を解除しても吐水又は止水状態を継続させるものであることを特徴とする自動水栓。
【請求項３】
請求項１，２の何れかにおいて、前記操作スイッチが、触れるだけで操作可能なタッチスイッチ又は非接触で操作可能なセンサから成る非接触スイッチであることを特徴とする自動水栓。
【請求項４】
請求項１，２の何れかにおいて、前記操作スイッチが非接触で操作可能なセンサから成る非接触スイッチであって、前記吐水口からの吐水の受水エリア以外のエリアを感知エリアとするものであることを特徴とする自動水栓。
【請求項５】
請求項１〜４の何れかにおいて、前記設定時間は４秒以下の短時間に設定してあることを特徴とする自動水栓。
【請求項６】
請求項１〜５の何れかにおいて、前記自動水栓がシングルレバー式の水栓であることを特徴とする自動水栓。
【発明の詳細な説明】
【０００１】
【発明の属する技術分野】
この発明は操作スイッチの操作により吐水口から吐水し又は吐水停止（止水）するようになした自動水栓に関し、特に誤操作による吐水継続を防止するための技術手段に特徴を有するものに関する。
【０００２】
【従来の技術及び発明が解決しようとする課題】
従来、人体を感知するセンサを備え、吐水口の下方に手を差し出すとそのセンサによる手感知に基づいて吐水口から自動的に吐水を行い、また吐水口の下方から手を引くとセンサが非感知となって吐水を自動的に停止（止水）するようになした自動水栓が公共トイレ等の水栓として広く用いられている。
【０００３】
この自動水栓は、主として手洗用に用いられており、そのため吐水口の下方、詳しくは吐水口からの吐水を受ける受水エリアをセンサの感知エリアとして構成されている。
この自動水栓は、吐水口の下方に置いたコップ等に水を溜めるといった使い方も行われている。即ち吐水口の下方にコップ等の容器を置くと、センサがこれを感知し続けることによって吐水口から水を出し続け、コップ等の容器に水を溜める。
【０００４】
この自動水栓において、吐水後に止水操作するのを忘れることがあり、そこで例えば下記特許文献１には、センサが対象物を感知し続けたとしても吐水後１分とか１０分の長い時間を経過した後吐水を自動的に停止する点が提案されている。
【０００５】
ところでこの種自動水栓をキッチン用の水栓に適用する場合、吐水口からの吐水の受水エリアをセンサの感知エリアとすると、吐水口の下方で洗い物等をしたときなどに水を出したくない場合であっても使用者の意図とは関係なく自動的に吐水されてしまったりする。
或いはまた水を出しながら洗い物等をする場合においても、手等が感知エリアに出入りするたびに吐水と止水とが行われてしまうといった不都合が生ずる。
【０００６】
そこでこの種自動水栓を例えばキッチン用の水栓に適用する場合には、吐水口からの吐水の受水エリア以外のエリア、例えば吐水管の側方を感知エリアとするセンサを吐水管先端部に設けてこれを非接触式の操作スイッチとして構成したり、或いはカウンターの上方を感知エリアとするセンサをカウンターに設けてこれを非接触式の操作スイッチとして構成し、且つこれを操作ごとに吐水と止水とを交互に行わせる交互スイッチとして構成することが考えられる。
【０００７】
このようにすれば、感知エリアに手を差し出して操作スイッチをオフ操作した後、止水状態を維持しながら吐水口の下方で洗い物等の作業を行うことが可能となる。
或いは感知エリアに手を差し出して操作スイッチをオン操作した後、吐水口からの吐水を継続しながらその下方で洗い物等の作業を行うことができる。
その際、従来の自動水栓のように手等が感知エリアに出入りすることによって、吐水と止水とが断続的に行われてしまうといった不都合を生じない。
この点は操作スイッチを接触式の操作スイッチ、例えば押込式の操作スイッチとした場合或いは触れるだけで操作可能なタッチスイッチとした場合にも基本的に同様である。
【０００８】
一方でこのようになした場合、使用者の意図とは無関係に操作スイッチがオン操作されてしまう危険性が高くなり、使用者の意図に反して吐水口から吐水が行われてしまうといったことが生じ得る。
例えば操作スイッチの上に物が置かれたりしたとき、操作スイッチがオン操作されてしまうことが生じる。特にタッチ式ないし非接触式の操作スイッチの場合、操作に力が要らず体が不自由な人等にも使い易いといった利点がある反面、誤って操作スイッチにタオルや布巾等が被せられることで操作スイッチがオン操作されてしまい、吐水口から水が出放しになる可能性がある。
【０００９】
【特許文献１】
特開２００１−３２９５８６号公報
【００１０】
【課題を解決するための手段】
本発明の自動水栓はこのような課題を解決するために案出されたものである。而して請求項１のものは、操作スイッチと、給水弁と、該操作スイッチからの信号に基づいて該給水弁を作動制御する制御部とを有し、該操作スイッチのオン操作により吐水口から吐水させ、オフ操作により止水するようになした自動水栓において、前記操作スイッチを、操作ごとに吐水と止水とを交互に行わせる交互スイッチとして且つ操作継続時間を検知可能なスイッチとして構成するとともに、前記制御部を、該操作スイッチに対する吐水のためのオン操作状態が設定時間継続したとき誤操作と判定して止水を行わせるようになしてあることを特徴とする。
【００１１】
請求項２のものは、請求項１において、前記操作スイッチは、吐水又は止水のためのオン操作又はオフ操作後、操作状態を解除しても吐水又は止水状態を継続させるものであることを特徴とする。
【００１２】
請求項３のものは、請求項１，２の何れかにおいて、前記操作スイッチが、触れるだけで操作可能なタッチスイッチ又は非接触で操作可能なセンサから成る非接触スイッチであることを特徴とする。
【００１３】
請求項４のものは、請求項１，２の何れかにおいて、前記操作スイッチが非接触で操作可能なセンサから成る非接触スイッチであって、前記吐水口からの吐水の受水エリア以外のエリアを感知エリアとするものであることを特徴とする。
【００１４】
請求項５のものは、請求項１〜４の何れかにおいて、前記設定時間は４秒以下の短時間に設定してあることを特徴とする。
【００１５】
請求項６のものは、請求項１〜５の何れかにおいて、前記自動水栓がシングルレバー式の水栓であることを特徴とする。
【００１６】
【作用及び発明の効果】
以上のように本発明は、操作スイッチを、操作ごとに吐水と止水とを交互に行わせる交互スイッチとして且つ操作継続時間を検知可能なスイッチとして構成し、吐水のためのオン操作状態が設定時間継続したとき誤操作と判定して止水を行わせるようになしたものである。
このようにすれば、操作スイッチの上に物が置かれることによって操作スイッチがオン操作されてしまったり、或いはその上にタオルや布巾等が被せられることによって操作スイッチがオン操作されてしまった場合（例えば操作スイッチがタッチスイッチ或いは非接触式スイッチのとき）（請求項３）であっても、吐水後速やかに止水が行われて誤った吐水が実質的に防止される。
【００１７】
この場合において、操作スイッチは吐水又は止水のためのオン操作又はオフ操作後、操作状態を解除しても吐水又は止水状態を継続させるものとなしておくことができる（請求項２）。
【００１８】
本発明では、非接触式のセンサから成る操作スイッチを、吐水口からの吐水の受水エリア以外のエリア、例えば吐水管の側方やカウンターの上方等を感知エリアとするものとなしておくことが望ましい（請求項４）。
【００１９】
また本発明において、操作スイッチのオン操作状態の継続に基づく止水動作は、吐水後における止水操作忘れを防止するためというよりは、そもそも誤った吐水を防止するためのものであり、この意味において上記設定時間は４秒以下の短時間に設定しておくことが望ましい（請求項５）。
【００２０】
本発明はまた、特にシングルレバー式の水栓に適用して好適なものである（請求項６）。
【００２１】
【実施例】
次に本発明の自動水栓をキッチン用の水栓として用いた場合の実施例を図面に基づいて以下に詳しく説明する。
図１において、１０はキッチンに設置された流し台で、１２はシンク、１４はキャビネット、１６はカウンターで、このカウンター１６上に本例のシングルレバー式の自動水栓（以下単に水栓とする）１８が設置されている。
【００２２】
この水栓１８は、カウンター１６から上方に起立する水栓本体２０と、水栓本体２０からシンク１２側に向けて前方に延び出した吐水管２２と、水栓本体２０の上部に設けられたシングルレバー操作部２４とを有しており、そのシングルレバー操作部２４の操作によって、吐水管２２先端部の下向きの吐水口２６から吐水と止水とが行われる。
【００２３】
詳しくは、この例ではシングルレバー操作部２４を左右に回動操作することで、水と湯との混合比率の調節即ち温度調節が行われ、また上下に回動操作することで吐水口２６からの吐水及び止水更に吐水の流量調節が行われる。
【００２４】
図２において、２８，３０はそれぞれ冷水（水道水），高温の湯を供給する給水路及び給湯路で、これら給水路２８及び給湯路３０を通じて冷水及び湯がそれぞれ水栓本体２０内部に供給される。
供給された冷水及び湯は、混合弁部３２で所定比率に混合され温度調節された上で、流出路３４を通じて一旦水栓本体２０から流出した後、吐水管２２内部を通って吐水口２６へと導かれる。
混合弁部３２は、シングルレバー操作部２４の手動操作によって作動状態を変化させ、冷水と湯との混合比率を調節するとともに併せて流出路３４の開閉即ち吐水及び止水も行う。
【００２５】
給水路２８からは分岐路３６が分岐して延び出しており、その先端が流出路３４に接続されている。
そしてこの接続部より上流側において流出路３４には開閉弁（給水弁）としての２つの電磁弁３８−１，３８−２が並列に設けられており、また分岐路３６においても開閉弁（給水弁）としての２つの電磁弁４０−１，４０−２が並列に設けられている。
そしてそれら電磁弁３８−１，３８−２及び４０−１，４０−２が制御部４１によって作動制御されるようになっている。
【００２６】
図３に示しているように、吐水管２２先端部且つ右側面と左側面とにはそれぞれ非接触で手等の人体を感知する、詳しくは吐水管２２の側方を感知エリアとしてそこに差し出された手等の感知対象を感知する赤外線式のセンサから成る水用の操作スイッチ４２Ｒ及び適温水用の操作スイッチ４２Ｌが設けられている。
【００２７】
これら操作スイッチ４２Ｒ，４２Ｌは、それぞれ上記の制御部４１に電気接続されており、それらが手等を感知したとき制御部４１に対し信号入力されるようになっている。
制御部４１はこの信号を受けて電磁弁３８−１，３８−２及び４０−１，４０−２を作動制御する。
【００２８】
本例では、図４（Ｉ）に示すように吐水管２２の右側面の操作スイッチ４２Ｒの側方に手をかざし、センサから成る操作スイッチ４２Ｒによりこれを感知させることで操作スイッチ４２Ｒをオン操作する。
すると操作スイッチ４２Ｒからの信号に基づいて制御部４１が分岐路３６上の電磁弁４０−１，４０−２を開弁させて、冷水を流出路３４を通じて吐水口２６から吐水させる（図４（ＩＩ）参照）。
【００２９】
その際、本例では手をかざしている時間、即ち操作スイッチ４２Ｒをオン操作している時間に応じて制御部４１が電磁弁４０−１及び４０−２の何れか一方或いは両方を開弁させ、小流量で或いは大流量で吐水口２６から吐水させる。
詳しくは、手かざしによるオン操作時間が短いときには制御部４１が電磁弁４０−１，４０−２の一方のみを開弁させて吐水口２６から小流量で吐水（小吐水）させ、また手かざしによるオン操作時間がこれより長いときには制御部４１が２つの電磁弁４０−１，４０−２の両方を開弁させて吐水口２６から大流量で吐水（大吐水）させる。
【００３０】
そして吐水継続中に再び図４（ＩＩＩ）に示しているように操作スイッチ４２Ｒの側方に手をかざすと、操作スイッチ４２Ｒがこれを感知することで制御部４１が開弁中の電磁弁４０−１，４０−２の一方又は両方を閉弁させ、吐水口２６からの冷水の吐水を停止即ち止水させる（図４（ＩＶ）参照）。
【００３１】
即ち操作スイッチ４２Ｒは、その側方に手をかざすごとにオン動作とオフ動作とを交互に繰り返し、吐水口２６からの吐水と止水とを交互に行わせる交互スイッチとして構成されている。
この点は以下に述べる適温水用の操作スイッチ４２Ｌも同様である。
【００３２】
一方、予めシングルレバー操作部２４を開操作且つ温度調節操作した状態で、吐水管２２の左側面の適温水用の操作スイッチ４２Ｌの側方に手をかざしてこれを操作スイッチ４２Ｌに感知させ、以って操作スイッチ４２Ｌをオン操作すると、これに基づいて制御部４１が流出路３４上の電磁弁３８−１，３８−２を開弁させる。
これにより予め温度調節された適温水が吐水口２６から吐水される。
【００３３】
その際、冷水吐水の場合と同様に操作スイッチ４２Ｌの側方に手をかざしている時間、即ち操作スイッチ４２Ｌをオン操作している時間の長短に応じて、吐水口２６から小流量で或いは大流量で吐水が行われる。
詳しくは、手かざしによるオン操作時間が短いときには制御部４１が電磁弁３８−１，３８−２の一方のみを開弁させて、吐水口２６から小流量で適温水を吐水（小吐水）させる。
また手かざしによるオン操作時間がこれより長いときには制御部４１が２つの電磁弁３８−１，３８−２の両方を開弁させて、吐水口２６から大流量で適温水を吐水（大吐水）させる。
【００３４】
そしてその吐水継続中において再び操作スイッチ４２Ｌの側方に手をかざしこれをオフ操作すると、その操作スイッチ４２Ｌの感知に基づいて制御部４１が開弁中の電磁弁３８−１，３８−２の一方又は両方を閉弁させて、吐水口２６からの適温水の吐水を停止（止水）させる。
【００３５】
上記のように本例では、水用及び適温水用の何れの操作スイッチ４２Ｒ，４２Ｌも、操作ごとに吐水と止水とを交互に行わせる交互スイッチとして構成されており、且つオン操作及びオフ操作後においてそれらの感知エリアから手を外しても即ち操作状態を解除しても、吐水或いは止水状態がその後も継続される。
【００３６】
本例ではまた、各操作スイッチ４２Ｒ，４２Ｌに対するオン操作状態が設定時間（この例では約２秒）継続したとき、このオン操作を誤操作と判定して止水を行わせるように制御部４１が制御動作する。
【００３７】
その他に本例では、操作スイッチ４２Ｒ，４２Ｌが最初に手等を感知した後、設定時間（この例では１秒）の間はその後に操作スイッチ４２Ｒ，４２Ｌが感知エリア内の手等を感知したとしても、即ち１秒間の短い間に再度オン操作或いはオフ操作されたとしても、その感知即ち操作を無効とするように制御部４１が制御動作する。
【００３８】
その制御部４１の制御の手順が図５に示してある。
本例では、先ずステップＳ１０において現在の時間ｔ，操作スイッチ４２Ｒ又は４２Ｌによる人体（感知対象）感知を無効とする無効時間ｔ１，更に操作スイッチ４２Ｒ又は４２Ｌによる感知カウント数が何れも０に設定される。
その後時間が０．１秒経過するごとにｔが１ずつカウントアップされる（ステップＳ１２，Ｓ１４）。
ステップＳ１２，Ｓ１４の実行によってｔはｔ１よりも大となる。
【００３９】
そこで水栓使用者が吐水口２６から吐水を行わせるべく操作スイッチ４２Ｒ又は４２Ｌの側方に手をかざすと、操作スイッチ４２Ｒ又は４２Ｌがこれを感知して先ず感知カウント数が１カウントされる（ステップＳ１６，Ｓ１８，Ｓ２０，Ｓ２２）。
そしてステップＳ２４，Ｓ２６，Ｓ２８を経てステップＳ３０が実行され、吐水口２６から所定小流量で吐水（小吐水）が行われる。
【００４０】
このステップＳ３０の実行後、ステップＳ３２においてｔ１＝１０の設定がなされる。
即ち水栓１８が止水状態から吐水状態に動作変化したとき、その後１秒間の無効時間（待ち時間）が設定され、その１秒間の間に操作スイッチ４２Ｒ又は４２Ｌが再び手を感知したとしてもその感知が無効扱いされる。
【００４１】
具体的には、ステップＳ３２においてｔ１＝１０に設定されることによって、制御部４１の制御動作はステップＳ１６からステップＳ１８，Ｓ２０，Ｓ２２をバイパスしてステップＳ２４へと飛び、操作スイッチ４２Ｒ又は４２Ｌによる人体感知を無視して制御動作を実行する。
【００４２】
そして０．１秒経過するごとにｔを１ずつカウントアップさせて行き、そしてｔが丁度１１となったとき即ち１秒経過した後、ステップＳ１６，Ｓ１８，Ｓ２０，Ｓ２２を実行する。
このとき水栓使用者が操作スイッチ４２Ｒ又は４２Ｌの側方に手をかざしたままであるときには、ステップＳ２２において感知カウント数が１だけカウントアップされ、そしてステップＳ２４，Ｓ２６を経て今度はステップＳ３４が実行され、それまで小吐水であったのがそこで大吐水に吐水流量の切替えが行われる（ステップＳ３６）。即ち吐水口２６からの吐水流量が設定小流量から設定大流量に切り替えられる。
このときもまたその後の１秒間の無効時間の設定がなされる（ステップ３８）。
【００４３】
更にそのまま手をかざし続けると、１秒後において吐水口２６からの吐水が停止（止水）される（ステップＳ１２，Ｓ１４，Ｓ１６，Ｓ１８，Ｓ２０，Ｓ２２，Ｓ２４，Ｓ２６，Ｓ４０，Ｓ４２）。
その際にもその後の１秒間の無効時間の設定がなされる（ステップＳ４４）。
【００４４】
即ち吐水状態から止水状態に動作変化した後、１秒間は操作スイッチ４２Ｒ，４２Ｌによる人体感知が無効扱いされる。
つまりその後１秒間は操作スイッチ４２Ｒ，４２Ｌによる人体感知の有無に拘わらずその止水状態が保持される。
【００４５】
本例の水栓１８では、操作スイッチ４２Ｒ，４２Ｌの側方の感知エリアに手を差し出して吐水口２６から小吐水又は大吐水させた後、直ちに感知エリアから手を外しても小吐水又は大吐水は引続き継続される。
尚、手を操作スイッチ４２Ｒ，４２Ｌの感知エリアから外すことによって１秒後に感知カウント数が０にリセットされる（ステップＳ４６）。
【００４６】
そしてそのような吐水継続状態の下で、再び感知エリアに手を差し出すと、そこで操作スイッチ４２Ｒ又は４２Ｌが手を感知してステップＳ２８，Ｓ４８が実行され、吐水口２６からの吐水が停止（止水）される。
【００４７】
このときもまたその止水状態がその後１秒間は保持される（ステップＳ５０）。
即ち、止水操作後において１秒間は操作スイッチ４２Ｒ，４２Ｌによる人体感知が無効とされ、ステップＳ４８の実行による止水状態が１秒間保持される。
【００４８】
上記のように本例では、操作スイッチ４２Ｒ，４２Ｌが操作ごとに吐水と止水とを交互に行わせる交互スイッチとして構成されている。
またこれら操作スイッチ４２Ｒ，４２Ｌは、それぞれ操作継続時間を検知可能なスイッチとして構成されていて、その操作スイッチ４２Ｒ，４２Ｌに対するオン操作時間が設定時間、ここでは約２秒継続すると、これを誤操作即ち誤ったオン操作であると制御部４１が判定して直ちに吐水を停止即ち止水する。
【００４９】
図６及び図７はこれをタイムチャートで表したもので、このうち図６は操作スイッチ４２Ｒ，４２Ｌが交互スイッチとして働くことを、即ち操作ごとに吐水口からの吐水と止水とを交互に行わせることを表している。
また図７は、オン操作時間が設定時間Ｔ秒継続すると、その時点で冷水及び適温水の吐水の停止を行わせることを表している。
【００５０】
このような本例の水栓１８によれば、吐水管２２にタオルや布巾等が被せられたりすることで操作スイッチ４２Ｒ，４２Ｌが誤ってオン操作された場合であっても、吐水後速やかに止水が行われて、誤った吐水が実質的に防止される。
【００５１】
図８は本発明の他の実施例を示している。
この例は、吐水管２２の先端面に操作スイッチ４２Ｒ，４２Ｌを設けたものである。
この場合において操作スイッチ４２Ｒ，４２Ｌは静電容量式のセンサ或いは電波式のセンサ等にて構成しておくことができ、水栓使用者が指を接触させ或いは指を接近させることによってこれを感知させ、それぞれの操作スイッチ４２Ｒ，４２Ｌをオン操作或いはオフ操作するようになすことができる。
尚図１〜図７に示す第１の実施例において操作スイッチ４２Ｒ，４２Ｌをこのような静電容量式或いは電波式のセンサとして構成することも可能である。
【００５２】
図８の実施例においては、水用及び適温水用の２つの操作スイッチ４２Ｒ，４２Ｌを設けて、それぞれの操作によって冷水或いは適温水の吐水と止水とを行うようになしているが、場合によって１つの操作スイッチ４２だけを設けて、その操作スイッチ４２のオン・オフ操作によって冷水のみを吐水又は止水させ或いは適温水のみ、更には湯のみを吐水又は止水させるようになすといったことも可能である。
【００５３】
図９は本発明の更に他の実施例を示したもので、この例は洗面器５０の上面から起立する形態で設けた手洗用の自動水栓５２における吐水管５４の上面にオン・オフ操作用の操作スイッチ４２を設けた例である。
この場合においても操作スイッチ４２は各種のスイッチ、即ち押込式の操作スイッチ，タッチ式の操作スイッチ或いは非接触式の操作スイッチとして構成することが可能である。
【００５４】
図１０は本発明の更に他の実施例を示している。
この例はカウンター１６上面に操作スイッチ４２を設けた例である。
この操作スイッチ４２もまた押込式の操作スイッチ，タッチ式の操作スイッチ或いは非接触式の操作スイッチとして構成することが可能である。
【００５５】
尚この例では、上例とは異なった形態の自動水栓５６における吐水管５８をカウンター１６上から起立させているが、勿論この自動水栓５６を様々な形態の自動水栓として構成することが可能である。
【００５６】
以上本発明の実施例を詳述したがこれはあくまで一例示である。
例えば上例ではオン操作状態が約２秒継続したときに止水を行うようになしているが、この設定時間は好ましくは４秒以下の短時間において様々に設定することが可能である。
【００５７】
この設定時間は、上例のように手かざし中に吐水流量が小流量から大流量に切り替わる場合であっても、また吐水流量が切り替わらずに一定流量で吐水する場合であっても、使用者による吐水行為のためのオン操作時間としては異常と判断されるような時間を定めて設定することができ、従って吐水流量が切り替わらないで一定流量で吐水する場合と、吐水流量が途中で切り替わる場合とで設定時間を異ならせることも可能である。
【００５８】
例えば吐水流量が小流量から大流量に、或いは小流量から中流量に、更に大流量に又はその他様々なパターンで吐水流量が切り替わる場合において、吐水流量の最終の切替時を基準としてそれより一定の時間を流量切替えのための必要な時間として確保するように、その設定時間を定めることができる。
【００５９】
また上記各実施例において、吐水のためのオン操作後において止水操作を忘れたときのために１分とか１０分その他長時間後に自動的に止水するように制御部を構成することも可能であるなど、本発明はその趣旨を逸脱しない範囲において種々変更を加えた形態で構成可能である。
【図面の簡単な説明】
【図１】本発明の一実施例の自動水栓を流し台に設置した状態で示す図である。
【図２】同実施例の自動水栓の構成要素を模式的に表した図である。
【図３】同実施例の自動水栓の操作スイッチとその感知エリアを周辺部とともに示す図である。
【図４】同実施例の自動水栓の作用説明図である。
【図５】同実施例の自動水栓における制御部の制御の手順をフローチャートで示す図である。
【図６】同実施例の自動水栓における操作スイッチの操作状態と吐水口からの吐水状態との関係をタイムチャートで表す図である。
【図７】図６に続いて操作スイッチの操作状態と吐水口からの吐水状態との関係をタイムチャートで表す図である。
【図８】本発明の他の実施例の自動水栓を流し台への設置状態で示す図である。
【図９】本発明の更に他の実施例の自動水栓を示す図である。
【図１０】本発明の更に他の実施例の自動水栓を示す図である。
【符号の説明】
１８，５２，５６  自動水栓
２６  吐水口
３８−１，３８−２，４０−１，４０−２  電磁弁（給水弁）
４１  制御部
４２，４２Ｒ，４２Ｌ  操作スイッチ
【図１】
2004360186.tif 000003
【図２】
2004360186.tif 000004
【図３】
2004360186.tif 000005
【図４】
2004360186.tif 000006
【図５】
2004360186.tif 000007
【図６】
2004360186.tif 000008
【図７】
2004360186.tif 000009
【図８】
2004360186.tif 000010
【図９】
2004360186.tif 000011
【図１０】
2004360186.tif 000012